(57)【要約】【課題】  判別にかかる時間を短縮し、未記録状態のディスクも判別しうる記録可能なディスクの判別方法及びその装置を提供する。【解決手段】絶対アドレス及び／またはディスクの多様な情報が含まれた所定周波数のウォッブルが成形されている記録可能なディスクをフォーカシング制御だけを行った状態でウォッブル信号の大きさを用いるか、ＰＬＬを経たウォッブルＰＬＬロック信号を用いて複数タイプのディスクを判別する。【選択図】      図４
2004335084.tif 000002
【特許請求の範囲】
【請求項１】
絶対アドレス及び／またはディスクの多様な情報が含まれた所定周波数のウォッブルが成形されている記録可能なディスクを判別する方法において、
ピックアップユニットを用いて前記ディスクの記録面上に光焦点を合わせるフォーカシング制御段階と、
前記フォーカシング制御段階で検出されたウォッブル信号の大きさを用いて前記ディスクの類型を判別する段階と、を含む方法。
【請求項２】
前記ディスク類型を判別する段階は、所定周波数を有する帯域通過フィルターを通過したウォッブル信号を用いる段階を含むことを特徴とする請求項１に記載の方法。
【請求項３】
前記ディスク類型を判断する段階は、前記ウォッブル信号の大きさと前記ピックアップユニットのフォトダイオードにより検出された和信号との比率を用いて前記ディスク類型を判断する段階を含むことを特徴とする請求項１に記載の方法。
【請求項４】
絶対アドレス及び／またはディスクの多様な情報が含まれた所定周波数のウォッブルが成形されている記録可能なディスクを判別する方法において、
ピックアップユニットを用いて前記ディスクの記録面上に焦点を合わせるフォーカシング制御段階と、
位相ロックループを経た検出されたウォッブル信号を含むウォッブル位相ロックループロック信号を用いて前記記録可能なディスクの類型を判別する段階を含む方法。
【請求項５】
前記ディスク類型判別段階は、前記ウォッブル位相ロックループロック信号におけるアクティブ区間の発生有無を検査する段階を含み、前記アクティブ区間は所定の信号レベルに対する前記ウォッブル位相−ロックループ信号内の変化に対応することを特徴とする請求項４に記載の方法。
【請求項６】
前記ディスク類型判別段階は、所定時間内に前記ウォッブル位相ロックループロック信号のアクティブ区間の合計時間が基準時間以上に発生するか否かを検査する段階を含み、前記アクティブ区間は所定の信号レベルに対する前記ウォッブル位相−ロックループ信号内の変化に対応することを特徴とする請求項４に記載の方法。
【請求項７】
ピックアップユニット、サーボユニットを備えた光ディスクシステムに挿入される絶対アドレス及び／またはディスクの多様な情報が含まれた所定周波数のウォッブルが成形されている記録可能なディスク類型を判別する方法において、
デフォルトモードを前記任意のディスク類型のモードのうち何れか１つのモードに設定する段階と、
前記ピックアップユニットにより前記ディスクの記録面上に焦点を合わせるべくフォーカシングオン状態に前記サーボユニットを制御する段階と、
前記フォーカシングオン状態でウォッブル信号の大きさを検出する段階と、
前記検出されたウォッブル信号の大きさと基準ウォッブル信号の大きさとを比較して比較結果を獲得する段階と、
前記比較結果を用いて、前記記録可能なディスクが前記デフォルトモードまたは異なるディスク類型に対応するかどうかを決定する段階と、を含む方法。
【請求項８】
前記サーボ制御段階は、
前記ディスクを回転させるスピンドルモータを定角速度制御する段階をさらに含むことを特徴とする請求項７に記載の方法。
【請求項９】
前記何れか１つのディスクタイプはＤＶＤ−Ｒ／ＲＷであり、他のディスクタイプは＋Ｒ／ＲＷであることを特徴とする請求項７に記載の判別方法。
【請求項１０】
前記検出段階は、所定周波数を有する帯域通過フィルターを用いて前記ウォッブル信号の大きさを検出する段階を含むことを特徴とする請求項７に記載の方法。
【請求項１１】
前記大きさを比較する段階及び前記ディスク類型を決定する段階は、前記ウォッブル信号の大きさと前記ピックアップユニットのフォトダイオードにより検出された和信号との比率を用いてディスクのタイプを判別する段階を含むことを特徴とする請求項７に記載の方法。
【請求項１２】
ピックアップユニット、サーボユニットを備えた光ディスクシステムに挿入される、絶対アドレス及び／またはディスクの多様な情報が含まれた所定周波数のウォッブルが成形されている記録可能なディスクタイプを判別する方法において、
デフォルトモードを何れか１つのディスクタイプのモードに設定する段階と、
前記ピックアップユニットにより前記ディスクの記録面焦点を合わせるようにフォーカシングオン状態に前記サーボユニットを制御する段階と、
前記フォーカシングオン状態で位相ロックループを経た後に生成されたウォッブル位相ロックループロック信号のアクティブ区間の合計時間を提供する段階と、
前記ウォッブル位相ロックループロック信号のアクティブ区間の合計時間と基準時間とを比較して比較結果を提供する段階と、
前記比較結果に基づいて、前記設定されたモード及び他の類型のディスクのうち何れか１つで前記ディスク類型を判別する段階と、を含み、
前記アクティブ区間は所定の信号レベルに対する前記ウォッブル位相ロックループ信号の変化に対応することを特徴とする方法。
【請求項１３】
前記サーボ部制御段階は、
前記ディスクを回転させるスピンドルモータを定角速度制御する段階をさらに含むことを特徴とする請求項１２に記載の方法。
【請求項１４】
前記何れか１つのディスクタイプはＤＶＤ−Ｒ／ＲＷであり、他のディスクタイプはＤＶＤ＋Ｒ／ＲＷであることを特徴とする請求項１２に記載の方法。
【請求項１５】
前記ウォッブル位相ロックループロック信号のアクティブ区間の合計時間を提供する段階は、
所定周波数を有する帯域通過フィルターによりウォッブル信号を検出する段階と、
前記ウォッブル信号を位相ロックループ制御を経た後にウォッブル位相ロックループロック信号を検出する段階と、
前記ウォッブル位相ロックループロック信号のアクティブ区間の合計時間を計算する段階と、を含むことを特徴とする請求項１２に記載の方法。
【請求項１６】
前記判別段階は、所定時間内に前記ウォッブル位相ロックループロック信号の“ハイ”区間の合計時間が基準時間以上に発生するか否かを確認する段階を含むことを特徴とする請求項１５に記載の方法。
【請求項１７】
ピックアップユニットとサーボユニットとを含み、絶対アドレス及び／またはディスクの多様な情報が含まれた所定周波数のウォッブルが成形されている複数の記録可能なディスクタイプを何れも記録／再生できる光ディスクシステムに使用可能なディスク類型判別装置において、
前記ピックアップユニットにより前記ディスクの記録面上に焦点を合わせるようにフォーカシングオン状態に前記サーボユニットを制御するサーボ制御部と、
前記フォーカシングオン状態で検出されたウォッブル信号の大きさを用いて前記ディスクタイプを判別する判別部と、を含むディスク判別装置。
【請求項１８】
前記判別部は所定ウォッブル周波数だけを通過させ、前記ウォッブル信号を検出する帯域通過フィルターを含むことを特徴とする請求項１７に記載の記録可能なディスク判別装置。
【請求項１９】
前記判別部は前記ウォッブル信号の大きさと前記ピックアップユニットのフォトダイオードで検出された信号との和信号の比率を用いてディスクのタイプを判別することを特徴とする請求項１７に記載の記録可能なディスク判別装置。
【請求項２０】
前記サーボ制御部はフォーカスオン状態で前記ディスクを回転させるスピンドルモータを定角速度制御することを特徴とする請求項１７に記載の記録可能なディスク判別装置。
【請求項２１】
前記複数のディスクタイプのうち何れか１つのディスクタイプはＤＶＤ−Ｒ／ＲＷであり、他のディスクタイプはＤＶＤ＋Ｒ／ＲＷであることを特徴とする請求項１７に記載の記録可能なディスク判別装置。
【請求項２２】
前記判別部は、
前記ウォッブル信号の大きさを測定する信号処理部と、
前記測定されたウォッブル信号の大きさを基準ウォッブル信号の大きさと比較してディスクタイプを判別するシステムコントローラとをさらに含むことを特徴とする請求項１８に記載の記録可能なディスク判別装置。
【請求項２３】
ピックアップユニットとサーボユニットとを含み、絶対アドレス及び／またはディスクの多様な情報が含まれた所定周波数のウォッブルが成形されている複数の記録可能なディスクタイプを何れも記録／再生できる光ディスクシステムにおいて、
前記ピックアップユニットにより前記ディスクの記録面焦点を合わせるようにフォーカシングオン状態に前記サーボユニットを制御するサーボ制御部と、
前記フォーカシングオン状態で検出されたウォッブル信号を含み、前記位相ロックループを通過したウォッブル位相ロックループ信号を使用して前記ディスクタイプを判別する判別部と、を含む記録可能なディスク判別装置。
【請求項２４】
前記判別部は、前記ウォッブル位相ロックループロック信号におけるアクティブ区間の発生有無を用いてディスクのタイプを判別し、ここで前記アクティブ区間は所定の信号レベルに対する前記ウォッブル位相ロックループ信号の変化に対応することを特徴とする請求項２３に記載の記録可能なディスク判別装置。
【請求項２５】
前記判別部は、所定時間内に前記ウォッブル位相ロックループロック信号のアクティブ区間内の合計時間が基準時間以上に発生するか否かを確認してディスクのタイプを判別することを特徴とする請求項２３に記載の記録可能なディスク判別装置。
【請求項２６】
前記サーボ制御部はフォーカスオン状態で前記ディスクを回転させるスピンドルモータを定角速度制御することを特徴とする請求項２３に記載の記録可能なディスク判別装置。
【請求項２７】
前記複数ディスクタイプのうち何れか１つのディスクタイプはＤＶＤ−Ｒ／ＲＷであり、他のディスクタイプはＤＶＤ＋Ｒ／ＲＷであることを特徴とする請求項２３に記載の記録可能なディスク判別装置。
【請求項２８】
前記判別部は、
前記ピックアップユニットにより検出された電気的な信号を所定周波数だけをフィルタリングしてウォッブル信号を検出する帯域通過フィルターと、
前記ウォッブル信号を位相ロックループ処理して位相ロックループロック信号のアクティブ区間の合計時間を測定する信号処理部と、
前記測定された位相ロックループロック信号のアクティブ区間の合計時間と基準時間とを比較して比較結果によってディスクタイプを判別するシステムコントローラと、を含むことを特徴とする請求項２３に記載の記録可能なディスク判別装置。
【請求項２９】
ディスク類型を判別する方法において、
所定の周波数を有する前記ディスク上のウォッブルによるウォッブル信号を検出する段階と、
前記検出されたウォッブル信号によって少なくとも２つのディスク類型のうち何れか１つのディスク類型を判別する段階と、を含むことを特徴とする方法。
【請求項３０】
前記ウォッブル信号を検出する段階は前記ディスクの記録面上に光ビームをフォーカシングする段階を含み、
前記ディスク類型を判別する段階は前記記録面上に前記光ビームをフォーカシングする間に検出された前記ウォッブル信号によって前記ディスク類型を判別する段階を含むことを特徴とする請求項２９に記載の方法。
【請求項３１】
前記決定されたディスク類型による前記ウォッブル信号以外の情報信号を使用して前記記録面に関する情報を伝送する段階をさらに含み、ここで前記ウォッブル信号を検出する段階は前記情報伝送段階以前に発生することを特徴とする請求項３０に記載の装置。
【請求項３２】
前記ディスク類型を判別する段階は前記ウォッブル信号の大きさを用いて少なくとも２個のディスク類型のうち１つを判別することを特徴とする請求項２９に記載の方法。
【請求項３３】
前記ディスク類型を判別する段階は、
前記ウォッブル信号を帯域通過フィルタリングする段階と、
前記フィルタリングされたウォッブル信号の大きさを用いて前記ディスク類型を決定する段階と、を含むことを特徴とする請求項３２に記載の方法。
【請求項３４】
前記ウォッブル信号を検出する間に第２信号を検出する段階をさらに含み、前記ディスク類型を判別する段階は前記第２信号と前記ウォッブル信号との比を用いることを特徴とする請求項２９に記載の方法。
【請求項３５】
前記検出されたウォッブル信号を位相ロックルーピングすることによってウォッブル位相ロックループ信号を生成する段階をさらに含み、前記ディスク類型判別段階は、前記ウォッブル位相ロックループ信号を用いて前記ディスク類型を判別することを特徴とする請求項２９に記載の方法。
【請求項３６】
前記ディスク類型判別段階は、所定の基準レベルから前記ウォッブル位相ロックループ信号が変化する程度を検出する段階と、
前記検出された程度に基づいて前記ディスク類型を判別する段階と、を含むことを特徴とする請求項３５に記載の方法。
【請求項３７】
前記ウォッブル信号を検出する段階はデフォルトモードによって前記光ビームをフォーカシングする段階を含み、ここで前記デフォルトモードは前記ディスクの二類型のうち１つに関するデータを伝送するのに使われるモードに対応し、
前記ディスク類型を判別する段階は、前記検出されたウォッブル信号を前記１つのディスク類型に関するモードを用いて検出されたウォッブル信号に該当する基準ウォッブル信号と比較することによって、前記ディスクが前記ディスク類型のうち１つであるか否かを判別する段階を含むことを特徴とする請求項２９に記載の方法。
【請求項３８】
前記ディスクが前記１つのディスク類型であると判断されれば、前記デフォルトモードに関する情報を伝送する段階と、
前記ディスクが前記１つのディスク類型でないと判断されれば、前記デフォルトモード以外の他のモードに関する情報を伝送する段階をさらに含むことを特徴とする請求項３７に記載の方法。
【請求項３９】
所定の周波数を有する該当ウォッブル信号を以って複数類型のディスクからデータを記録／再生する光ディスクシステムに使われるディスク判別装置において、
ピックアップユニットをして前記ディスクの記録面に光スポットをフォーカシングすべく制御させる制御部と、
前記制御部が前記記録面上に前記光スポットをフォーカシングする間に検出されたウォッブル信号を用いて前記ディスクの複数類型のうち何れか１つを判別する判別部と、を含むことを特徴とする装置。
【請求項４０】
前記制御部は、前記ピックアップユニットをしてディスクの決定された類型による前記ウォッブル信号以外の情報信号を使用して前記記録面に関する情報を伝送すべくさらに制御させ、ここで前記ウォッブル信号は前記情報を伝送する段階以前に検出されることを特徴とする請求項３９に記載の装置。
【請求項４１】
前記制御部は前記ウォッブル信号の大きさを用いて少なくとも二類型のうち１つに決定することによって前記ディスク類型を判別することを特徴とする請求項３９に記載の装置。
【請求項４２】
前記ウォッブル信号を帯域通過フィルタリングする帯域通過フィルターをさらに含み、前記判別部は前記帯域通過フィルタリングされた信号の大きさを用いて前記ディスク類型を判別する請求項４１に記載の装置。
【請求項４３】
前記制御部は前記ウォッブル信号を検出する間に検出される第２信号を受信し、前記第２信号と前記ウォッブル信号との比を用いて前記ディスク類型を判別する請求項３９に記載の装置。
【請求項４４】
前記検出されたウォッブル信号を位相−ロックルーピングすることによってウォッブル位相ロックループ信号を生成する位相ロックループユニットをさらに含み、前記制御部は前記ウォッブル位相ロックループ信号を用いて前記ディスク類型を判別する請求項３９に記載の装置。
【請求項４５】
前記制御部は、所定の基準レベルに対して前記ウォッブル位相ロックループ信号が変化する程度を検出し、前記検出された程度によって前記ディスク類型を判別する請求項４４に記載の装置。
【請求項４６】
前記ディスク類型を判別する前に、前記制御部は、
ｉ）  前記ピックアップユニットをしてデフォルトモードによる前記ウォッブル信号を検出するように制御させ、ここでデフォルトモードは複数のディスク類型のうち何れか１つに関する情報を伝送するのに用いられるモードに該当し、
ｉｉ）  前記ディスク類型の何れか１つに関するモードを用いた時、検出されたウォッブル信号に対応する基準ウォッブル信号と前記検出されたウォッブル信号とを比較することによって前記ディスクが前記ディスク類型のうち１つであるかを判別する請求項３９に記載の装置。
【発明の詳細な説明】
【技術分野】
【０００１】
本発明は複数タイプのディスクを記録／再生可能な光ディスクシステムにおけるディスク判別に係り、特に記録可能なディスクのタイプを判別する方法及びその装置に関する。
【背景技術】
【０００２】
図１は、光ディスクシステムに採用された従来のディスク判別方法によるフローチャートであって、これは同一出願人により出願登録された特許文献１に開示されている。
【０００３】
図１を参照するに、光ディスクを一定速度に回転させつつフォーカシング制御を行なって読込まれた情報信号の最長周期を選択し（１０１段階）、選択された最長周期信号と基準信号とを比較して最長周期信号と基準信号との大小を判断する（１０２段階）。１０２段階の判断の結果、最長周期信号が基準信号より大きい場合にはＣＤと判別して（１０３段階）、ＣＤモードと設定する（１０４段階）。１０２段階の判断の結果が最長周期信号が基準信号より小さい場合には、ＤＶＤと判別して（１０５段階）、ＤＶＤモードと設定する（１０６段階）。
【０００４】
このような従来のディスク判別方法は、システムに装着された光ディスクが主に高密度（ＤＶＤ）であるか、低密度（ＣＤ）であるかを判別するためのものであって、高密度ディスクである場合には同じ領域に多くの情報を記録するために狭いトラックピッチとピットとの大きさを最小化している。したがって、ピットから検出される信号は高密度ディスクであるほど周波数が高まり、時間は短くなる特性がある。したがって、このような特性を用いて高密度及び低密度ディスクのタイプを判別できるが、フォーカシング制御を行なえば光スポットがディスク上の記録面を通ることになり、記録面を通る時、ピットの信号が得られる。このように得られたピット信号のうち、判別エラーを最小化するために最も長い最長周期を有するピット信号を選択する。一方、高密度ディスクと低密度ディスクとから検出された最長周期信号からディスクタイプの判別が可能な基準信号を決定し、この基準信号に基づいて該当ディスクから読込まれる信号の大小によってＣＤあるいはＤＶＤと判別する。
【０００５】
しかし、従来のディスク判別方法では、再生専用のＣＤ、またはＤＶＤ上に情報が記録されていて初めて該当ディスクに記録された情報の最長周期を用いてディスクタイプを判別できるので、未記録状態の光ディスクが装着された場合には判断ミスを犯すことができた。
【特許文献１】大韓民国特許番号第１７６５５７号
【発明の開示】
【発明が解決しようとする課題】
【０００６】
したがって、本発明の目的は、複数タイプの光ディスクを記録／再生可能な光ディスクシステムにおいて、フォーカシング制御だけでもディスクのタイプを判別する方法及びその装置を提供するところにある。
【０００７】
本発明の他の目的は、記録可能なＤＶＤ−Ｒ／ＲＷと＋Ｒ／ＲＷとを何れも記録／再生可能な光ディスクシステムにおいて、フォーカシング制御だけでもディスクのタイプを判別する方法及びその装置を提供するところにある。
【０００８】
本発明のさらに他の目的は、情報が記録されていなくても記録可能なディスクのタイプを判別する方法及びその装置を提供するところにある。
【課題を解決するための手段】
【０００９】
本発明によって、前記目的は、絶対アドレス及び／またはディスクの多様な情報が含まれた所定周波数のウォッブルが成形されている記録可能なディスクを判別する方法において、ピックアップユニットにより前記ディスクの記録面焦点を合わせるフォーカシング制御段階と、及び前記フォーカシング制御だけを行った状態でウォッブル信号の大きさを用いて複数タイプのディスクを判別する段階と、を含む方法により達成される。
【００１０】
前記目的は、絶対アドレス及び／またはディスクの多様な情報が含まれた所定周波数のウォッブルが成形されている記録可能なディスクを判別する方法において、ピックアップユニットにより前記ディスクの記録面焦点を合わせるフォーカシング制御段階と、前記フォーカシング制御だけを行った状態で位相ロックループ（Ｐｈａｓｅ  Ｌｏｃｋｅｄ  Ｌｏｏｐ；以下、ＰＬＬ）を経たウォッブルＰＬＬロック信号を用いて複数のディスクのタイプを判別する段階と、を含む方法により達成される。
【００１１】
前記目的は、ピックアップユニット、サーボユニットを備えた光ディスクシステムのための絶対アドレス及び／またはディスクの多様な情報が含まれた所定周波数のウォッブルが成形されている記録可能なディスクタイプを判別する方法において、何れか１つのディスクタイプのモードに設定する段階と、前記ピックアップユニットにより前記ディスクの記録面焦点を合わせるようにフォーカシングオン状態に前記サーボユニットを制御する段階と、前記フォーカシングオン状態でウォッブル信号の大きさを検出する段階と、前記検出されたウォッブル信号の大きさと基準ウォッブル信号の大きさとを比較して比較結果によって前記設定されたモードのディスクと判別するか、あるいは異なるタイプのディスクと判別する段階と、を含む方法により達成される。
【００１２】
また、前記目的は、ピックアップユニット、サーボユニットを備えた光ディスクシステムのための絶対アドレス及び／またはディスクの多様な情報が含まれた所定周波数のウォッブルが成形されている記録可能なディスクタイプを判別する方法において、何れか１つのディスクタイプのモードに設定する段階と、前記ピックアップユニットにより前記ディスクの記録面焦点を合わせるようにフォーカシングオン状態に前記サーボユニットを制御する段階と、前記フォーカシングオン状態でＰＬＬを経た後に生成されたウォッブルＰＬＬロック信号のアクティブ区間の合計時間を提供する段階と、前記ウォッブルＰＬＬロック信号のアクティブ区間の合計時間と基準時間とを比較して比較結果によって前記設定されたモードのディスクと判別するか、あるいは異なるタイプのディスクと判別する段階と、を含む方法により達成される。
【００１３】
本発明の他の分野によれば、前記目的は、ピックアップユニットとサーボユニットを含み、絶対アドレス及び／またはディスクの多様な情報が含まれた所定周波数のウォッブルが成形されている複数の記録可能なディスクタイプを何れも記録／再生できる光ディスクシステムにおいて、前記ピックアップユニットにより前記ディスクの記録面焦点を合わせるようにフォーカシングオン状態に前記サーボユニットを制御するサーボ制御部と、前記フォーカシングオン状態で前記複数のディスクタイプを前記ウォッブル信号の大きさを用いて判別する判別部と、を含む記録可能なディスク判別装置により達成される。
【００１４】
また、前記目的は、ピックアップユニットとサーボユニットを含み、絶対アドレス及び／またはディスクの多様な情報が含まれた所定周波数のウォッブルが成形されている複数の記録可能なディスクタイプを何れも記録／再生できる光ディスクシステムにおいて、前記ピックアップユニットにより前記ディスクの記録面焦点を合わせるようにフォーカシングオン状態に前記サーボユニットを制御するサーボ制御部と、前記フォーカシングオン状態で前記複数のディスクタイプをＰＬＬを経たウォッブルＰＬＬロック信号を用いて判別する判別部と、を含む記録可能なディスク判別装置により達成される。
【発明の効果】
【００１５】
本発明は複数タイプの光ディスクを全て記録／再生できる光ディスクシステムにおいて、特に、フォーカシング制御だけでＤＶＤ−Ｒ／ＲＷ系の記録可能なディスクと＋Ｒ／ＲＷ系の記録可能なディスクのタイプとを判別できて、ディスクの判別にかかる時間を短縮させ、未記録状態のディスクタイプも判別できて判別の信頼性を高めうる。
【発明を実施するための最良の形態】
【００１６】
以下、添付された図面を参照して本発明の望ましい実施例を説明する。
【００１７】
図２は、本発明を行う複数タイプのディスクを記録／再生できる光ディスクシステムのブロック図であって、記録／再生可能な光ディスク２０１を駆動できるスピンドルモータ２０２、光ディスク２０１から情報を記録／再生できるピックアップユニット２０３、ピックアップユニット２０３から読込まれた情報からデータ信号及びサーボ信号などを処理するプリアンプ２０４、プリアンプ２０４で処理されたデータ信号を実際有効な情報に変換するためにＰＬＬ、エラー訂正などを実行するＰＬＬ及び信号処理部２０５、プリアンプ２０４から出力されるサーボ信号を用いてフォーカシング制御信号、トラッキング制御信号、高速探索制御信号などのサーボ制御信号を生成するサーボ信号処理部２０６、サーボ信号処理部２０６で生成されたサーボ制御信号によってスピンドルモータ２０２、ピックアップユニット２０３を駆動するためのモータ、そしてピックアップ移送モータなどを駆動可能にするサーボ駆動信号を生成するサーボ駆動部２０７、前記全ての信号の流れを適切に制御して管理するシステムコントローラ２０８で構成されている。ここで、サーボ信号処理部２０６とサーボ駆動部２０７とをサーボ制御部と称し得る。また、スピンドルモータ２０２、ピックアップユニット２０３を駆動するためのモータ、そしてピックアップ移送モータなどをサーボユニットと称し得る。
【００１８】
本発明の動作は記録可能なディスクのタイプをＤＶＤ−Ｒ／ＲＷと＋Ｒ／ＲＷを例として説明する。
【００１９】
図２を参照するに、まず本発明が適用される光ディスクシステムでの信号の流れを見れば、光ディスク２０１上に／から情報を記録／再生するにはピックアップユニット２０３が必要である。このようにピックアップユニット２０３を通じて読込まれた光学的信号は電気的な信号に変換されてプリアンプ２０４に入力される。プリアンプ２０４はピックアップユニット２０３を制御するためのサーボ用信号の生成と、光ディスク２０１に情報を記録／再生するための信号の処理とを行い、サーボ用信号は再びサーボ信号処理部２０６に提供されてスピンドルモータ２０２、ピックアップユニット２０３を駆動するためのモータ、そしてピックアップ移送モータなどの制御に活用される。また、情報の再生のためにプリアンプ２０４は再生信号を波形等化し、等化された信号をＰＬＬ及び信号処理部２０５に提供し、ＰＬＬ及び信号処理部２０５は等化された信号を二値化させ、ＰＬＬを経てエラー訂正した後、正常にデータを生成する。ここで、光ディスク２０１から正確なデータを読込むためには一定の線速度に回転させることが重要であるが、特にその１つの方法が、記録可能な光ディスクの場合は絶対アドレス及び／またはディスクの多様な情報が含まれた所定周波数を有するウォッブルが成形されており、このウォッブル信号を用いることである。
【００２０】
本発明では、ＤＶＤ−Ｒ／ＲＷと＋Ｒ／ＲＷディスクの判別のために単にフォーカシング制御だけでもウォッブル信号をモニタリングすることによって２種のディスクの判別が可能である。
【００２１】
すなわち、ピックアップユニット２０３により光ディスク２０１の記録面焦点を正確に合わせるフォーカシング制御を行い、光ディスク２０１の偏心により焦点はグルーブ記録タイプで構成されたディスクのトラックを横断する。ここで、もちろん偏心量によってトラックを横断するトラック数は変わる。このように焦点がトラックを横断する間にディスクのグルーブ上には適切な周波数で形成されたウォッブルを過ぎるが、グルーブを中心に光スポットが過ぎれば、ウォッブル信号の検出が正確になり、グルーブとグルーブ間のランドを過ぎれば、場合によって、ウォッブルの周期信号が隣接トラックのウォッブルと位相が１８０゜になる場合にはほとんど検出されない場合もある。しかし、この場合にもある程度のウォッブル信号の検出が可能なので、このウォッブル信号を用いれば２種のディスク判別が可能になる。なぜなら、ＤＶＤ−Ｒ／ＲＷの場合、ウォッブル周波数は１８６チャンネルビットよりなっており、＋Ｒ／ＲＷの場合、ウォッブル周波数は３２チャンネルビットよりなっており、各々１４０．６ＫＨｚ、８１７．５ＫＨｚの相異なる周波数よりなっているためである。したがって、光ディスク２０１を１倍速で回転させた状態でＤＶＤ−Ｒ／ＲＷ用のウォッブル信号検出用帯域通過フィルター（図示されていないが、ＰＬＬ及び信号処理部２０５内、またはＰＬＬ及び信号処理部２０５の前端に別途に構成されうる）の中心周波数を１４０．６ＫＨｚとして使用すれば、ＤＶＤ−Ｒ／ＲＷ系列のウォッブル信号は非常に大きい信号として検出されるが、ウォッブル周波数が８１７．５ＫＨｚよりなる＋Ｒ／ＲＷのウォッブル信号は帯域通過フィルターの中心周波数とは異なるので、ウォッブル信号の検出が正しくならないために２種のディスクを容易に判別できる。
【００２２】
図３（Ａ）は、ＤＶＤ−Ｒ／ＲＷタイプのディスクを再生する場合、図２に示されたブロックから発生する信号の波形図であり、図３（Ｂ）は＋Ｒ／ＲＷタイプのディスクを再生する場合に図２に示されたブロックから発生する信号の波形図である。
【００２３】
図３（Ａ）の３０１はＤＶＤ−Ｒ／ＲＷモードでＤＶＤ−Ｒ／ＲＷをフォーカシング制御だけ行ないつつピックアップユニット２０３により検出されたフォトダイオードの和信号であり、図３（Ｂ）の３０２は帯域通過フィルターを通過したウォッブル信号であり、図３（Ｃ）の３０３はウォッブル信号がＰＬＬを経た結果を示すウォッブルＰＬＬロック信号を示したものであって、図３（Ｂ）の３０２に示されたウォッブル信号の大きさが図３（Ｅ）の３０５より十分に大きく出力され、図３（Ｃ）の３０３に示されたウォッブルＰＬＬロック信号も非常に多くの区間で“ハイ”区間を維持している。
【００２４】
一方、ＤＶＤ−Ｒ／ＲＷモードで＋Ｒ／ＲＷディスクをフォーカシング制御だけ行ないつつピックアップユニット２０３により検出されるフォトダイオードの和信号は図３（Ｄ）の３０４に示されたようであり、帯域通過フィルターを通過したウォッブル信号は図３（Ｅ）の３０５に示されたようであり、ＰＬＬロック信号は図３（Ｆ）の３０６に示されたようである。図３（Ｅ）の３０５に示された＋Ｒ／ＲＷ用ウォッブル信号の大きさは図３（Ｂ）の３０２に示されたＤＶＤ−Ｒ／ＲＷ用ウォッブル信号の大きさに比べて小さく、図３（Ｆ）の３０６に示されたウォッブルＰＬＬロック信号の“ハイ”区間も全然発生しない。したがって、ウォッブル信号の大きさとウォッブルＰＬＬロック信号とを用いて２種のディスクを判別することは難しくない。
【００２５】
図４は、本発明に係る記録可能なディスクの判別方法の一実施例に係るフローチャートであって、ウォッブル信号の大きさを用いてディスクタイプを判別している。
【００２６】
図４を参照するに、ＤＶＤ−Ｒ／ＲＷモードに設定する（４０１段階）。４０１段階において、デフォルトモードとしてＤＶＤ−Ｒ／ＲＷモードが設定されているが、＋Ｒ／ＲＷモードにも設定しうる。ピックアップユニット２０３により光ディスク２０１の記録面焦点を正確に合わせるフォーカシング−オン状態に制御し、スピンドルモータ２０２を定角速度（Ｃｏｎｓｔａｎｔ  Ａｎｇｕｌａｒ  Ｖｅｌｏｃｉｔｙ：ＣＡＶ）で制御する（４０２段階）。所定のウォッブル周波数（ここでは、ＤＶＤ−Ｒ／ＲＷ用１４０．６ＫＨｚ）を中心周波数とする帯域通過フィルターを有するＰＬＬ及び信号処理部２０５でウォッブル信号の大きさＷＢａｍｐを測定する（４０３段階）。
【００２７】
測定されたウォッブル信号の大きさＷＢａｍｐと基準ウォッブル信号の大きさＷｂｒｅｆとを比較し（４０４段階）、測定されたウォッブル信号の大きさＷＢａｍｐが基準ウォッブル信号の大きさＷｂｒｅｆと同じか、大きければディスクタイプをＤＶＤ−Ｒ／ＲＷと判定し（４０５段階）、そうでなければディスクタイプを＋Ｒ／ＲＷと判定し（４０６段階）、＋Ｒ／ＲＷモードに設定する（４０７段階）。
【００２８】
したがって、初期にＤＶＤ−Ｒ／ＲＷまたは＋Ｒ／ＲＷ系列のディスクと判定されれば、フォーカシング制御を行なう。そして、ディスクのモードはＤＶＤ−Ｒ／ＲＷに設定した後、ウォッブル信号の大きさＷＢａｍｐを測定し、あらかじめ実験的に設定された基準ウォッブル信号の大きさＷＢｒｅｆと比較して測定されたウォッブル信号ＷＢａｍｐの大きさが基準ウォッブル信号の大きさＷＢｒｅｆより大きい場合はＤＶＤ−Ｒ／ＲＷ系と判別し、小さい場合には＋Ｒ／ＲＷ系と判別する。この場合、ウォッブル信号の大きさだけでなく、ＤＶＤ−Ｒ／ＲＷのための和信号３０１とウォッブル信号の大きさ３０２との比率と＋Ｒ／ＲＷのための和信号３０４とウォッブル信号の大きさ３０５との比率を用いて判別することもある。これは未記録状態のディスクの場合には平均反射率が落ちてウォッブル信号の大きさが変わりうが、和信号とウォッブル信号の大きさとの比率は変わらないので、これを用いれば、ディスクタイプ判別の信頼性をさらに向上させうる。
【００２９】
図５は、本発明に係る記録可能なディスクの判別方法の他の実施例によるフローチャートであって、ウォッブルＰＬＬロック信号を用いてディスクタイプを判別している。
【００３０】
図５を参照するに、ＤＶＤ−Ｒ／ＲＷモードに設定し（５０１段階）、５０１段階においてデフォルトモードとしてＤＶＤ−Ｒ／ＲＷモードが設定されているが、＋Ｒ／ＲＷモードにも設定しうる。ピックアップユニット２０３により光ディスク２０１の記録面焦点を正確に合わせるフォーカシングオン状態に制御し、スピンドルモータ２０２をＣＡＶで制御する（５０２段階）。ウォッブルＰＬＬロック信号を所定時間観測してウォッブルＰＬＬロック信号の“ハイ”区間の合計時間ＷＰＬＫｔを測定する（５０３段階）。ここで、ウォッブルＰＬＬロック信号は所定のウォッブル周波数（ここでは、ＤＶＤ−Ｒ／ＲＷ用１４０．６ＫＨｚ）を中心周波数とする帯域通過フィルターを有するＰＬＬ及び信号処理部２０５でウォッブル信号を検出し、このウォッブル信号がＰＬＬを経た結果として得られる信号である。
【００３１】
ＰＬＬロック信号の“ハイ”区間の合計時間ＷＰＬＫｔをあらかじめ実験的に設定された基準ＰＬＬロック信号の“ハイ”区間の合計時間（ＷＰＬＫｒ：基準時間と略称する）と比較し（５０４段階）、ＰＬＬロック信号の“ハイ”区間の合計時間ＷＰＬＫｔが基準時間ＷＰＬＫｒと同じか、あるいは大きければディスクタイプをＤＶＤ−Ｒ／ＲＷと判定し（５０５段階）、そうでなければディスクタイプを＋Ｒ／ＲＷと判定し（５０６段階）、＋Ｒ／ＲＷモードに設定する（５０７段階）。
【００３２】
したがって、初期にＤＶＤ−Ｒ／ＲＷまたは＋Ｒ／ＲＷ系列のディスクと判定されれば、フォーカシング制御を行なう。そして、ディスクのモードはＤＶＤ−Ｒ／ＲＷに設定した後、ウォッブルＰＬＬロック信号を確認するに当って信頼性を高めるために所定時間、例えばディスクの１回転時間の間に、ＰＬＬロック信号の“ハイ”区間の合計時間ＷＰＬＫｔを既定の基準時間ＷＰＬＫｒと比較してＰＬＬロック信号の“ハイ”区間の合計時間ＷＰＬＫｔが既定の基準時間ＷＰＬＫｒより大きい場合には、ＤＶＤ−Ｒ／ＲＷディスクタイプと、反対の場合は＋Ｒ／ＲＷディスクタイプと判別する。
【００３３】
図４及び図５に示された判別方法で初期設定を＋Ｒ／ＲＷモードにして判別する方法も同様な結果を有する。
【産業上の利用可能性】
【００３４】
前述したように本発明は複数タイプの光ディスクを何れも記録／再生できる光ディスクシステムに提供可能である。
【図面の簡単な説明】
【００３５】
【図１】従来のディスク判別方法を説明するためのフローチャートである。
【図２】本発明を行う光ディスクシステムのブロック図である。
【図３】（Ａ）及び（Ｂ）は、図２に示されたブロックから発生する信号の波形図である。
【図４】本発明に係る記録可能なディスク判別方法の一実施例によるフローチャートである。
【図５】本発明に係る記録可能なディスク判別方法の他の実施例によるフローチャートである。
【符号の説明】
【００３６】
２０１    光ディスク
２０２    スピンドルモータ
２０３    ピックアップユニット
２０４    プリアンプ
２０５    信号処理部
２０６    サーボ信号処理部
２０７    サーボ駆動部
２０８    システムコントローラ
【図１】
2004335084.tif 000003
【図２】
2004335084.tif 000004
【図３】
2004335084.tif 000005
【図４】
2004335084.tif 000006
【図５】
2004335084.tif 000007